(57)【要約】      （修正有）【課題】組み立てが容易な口金部を備えた電球を提供する。【解決手段】座体２２は、導電ケース２２１と導電接合部２２２を含む。導電部材２１２の導電弾性片２１２ａは、導電ケース２２１との接続に用いられ、回路を導通させる。導電接合部２２２は、突起柱（オスコネクタ）であり、導電固定部材２１３の突出部との結合に用いられる。導電接合部２２２の突起柱は、導電固定部材２１３の突出部に接触した状態で係着され、回路を導通させる。導電弾性片２１２ａと導電ケース２２１間の接続、及び導電接合部２２２と導電固定部材２１３間の接続を通して、完全な導電回路が形成される。ただし、導電接合部２２２と導電固定部材２１３の構造は上述に限定されず、例えば、導電接合部２２２を突出部とし、導電固定部材２１３を対応する突起柱としてもよく、或いは導電接合部２２２と導電固定部材２１３をその他相互に係着できる構造とすることもできる。【選択図】図２
0003188655.tif 000002
【実用新案登録請求の範囲】
【請求項１】
発光体と口金部を含んで成る電球であって、
前記口金部が駆動回路板と座体を含み、
前記駆動回路板が前記発光体に接続され、導電部材と導電固定部材を含み、
前記座体が、前記導電部材に接続された導電ケースと、前記導電固定部材の接続に用いる導電接合部を含む、
ことを特徴とする電球。
【請求項２】
前記導電接合部が係着（ｆａｓｔｅｎｉｎｇ）方式で前記導電固定部材に接続されることを特徴とする、請求項１に記載の電球。
【請求項３】
前記導電固定部材が突出部であり、前記導電接合部が突起柱であることを特徴とする、請求項２に記載の電球。
【請求項４】
前記導電部材が導電弾性片を含むことを特徴とする、請求項２に記載の電球。
【請求項５】
前記導電部材が導電弾性片を含むことを特徴とする、請求項１に記載の電球。
【請求項６】
前記駆動回路板がさらに複数の導電突起柱を含み、前記発光体がさらに発光素子を含み、前記複数の導電突起柱が前記発光素子の接続に用いられることを特徴とする、請求項１、４または５のいずれかに記載の電球。
【請求項７】
前記発光体が発光ダイオード（Ｌｉｇｈｔ  Ｅｍｉｔｔｉｎｇ  Ｄｉｏｄｅ、ＬＥＤ）灯であることを特徴とする、請求項６に記載の電球。
【考案の詳細な説明】
【技術分野】
【０００１】
本考案は電球に関し、特に組み立てが容易な口金部を備えた電球に関する。
【背景技術】
【０００２】
現代人の日常生活において、電球は欠かせない実用照明用具である。一般的な電球の構造は、口金部の底部に回路の１つの電極があり、口金部周囲の金属ケースに回路の別の電極がある。電球の製造過程においては、電球の回路を完成させるために手動方式で口金部底部と口金部周囲の金属ケース上にそれぞれ導入線をはんだ付けする必要がある。
【０００３】
しかしながら、手動でのはんだ付けによる製造方法は時間コストと人件費が大幅に増加してしまう。また、手動でのはんだ付けの歩留まりが不安定であり、プロセス歩留まりの管理が難しい。
【０００４】
このため、口金部の組み立てが容易な構造を備えた、新しい電球の提供が必要である。
【考案の概要】
【考案が解決しようとする課題】
【０００５】
本考案の主な目的は、組み立てが容易な口金部を備えた電球を提供することにある。
【課題を解決するための手段】
【０００６】
上述の目的を達成するため、本考案の電球は、発光体と口金部を含む。口金部が駆動回路板と座体を含む。駆動回路板が発光体に接続される。駆動回路板が導電部材と導電固定部材を含む。座体が導電ケースと導電接合部を含む。導電部材が導電ケースに接続される。導電接合部は導電固定部材の接続に用いられる。
【０００７】
本考案の一実施例によると、導電接合部は係着（ｆａｓｔｅｎｉｎｇ）方式で導電固定部材と接続される。
【０００８】
本考案の一実施例によると、導電固定部材は突出部であり、導電接合部は突起柱である。
【０００９】
本考案の一実施例によると、導電部材は導電弾性片を含む。
【００１０】
本考案の一実施例によると、駆動回路板は複数の導電突起柱を含み、発光体は発光素子を含み、複数の導電突起柱が発光素子の接続に用いられる。
【００１１】
本考案の一実施例によると、発光体は発光ダイオード（Ｌｉｇｈｔ  Ｅｍｉｔｔｉｎｇ  Ｄｉｏｄｅ、ＬＥＤ）灯である。
【図面の簡単な説明】
【００１２】
【図１】本考案の一実施例による電球の正面図である。
【図２】本考案の一実施例による電球の断面図である。
【図３】本考案の一実施例による電球の立体分解図である。
【図４】本考案の一実施例による発光素子と駆動回路板の概略図である。
【考案を実施するための形態】
【００１３】
本考案の上述及びその他の目的、特徴、利点をより明らかに分かりやすく示すため、以下で本考案の具体的な実施例を挙げ、図面を組み合わせて詳細に説明する。
【００１４】
図１から図４に本考案の一実施例の電球を示す。図１は本考案の一実施例による電球の正面図である。図２は本考案の一実施例による電球の断面図である。図３は本考案の一実施例による電球の立体分解図である。図４は本考案の一実施例による発光素子と駆動回路板の概略図である。
【００１５】
図１から図４に示すように、本考案の一実施例において、電球１は発光体１０と口金部２０を含む。本考案の発光体１０は発光ダイオード（Ｌｉｇｈｔ  Ｅｍｉｔｔｉｎｇ  Ｄｉｏｄｅ、ＬＥＤ）灯であるが、本考案の発光体１０の種類は発光ダイオード灯に限定されず、白熱灯やハロゲン灯としてもよい。図４に示すように、本考案の実施例において、発光体１０は発光素子１１を含み、発光素子１１は、例えば基板１１ｂ上に嵌置された複数の発光ダイオード１１ａとしてもよい。また、基板１１ｂ上には、接続構造部１１ｃが設けられる。この接続構造部１１ｃは一組の挿入孔である。但し、発光素子１１の態様は、上述に限定されない。本分野において、電球１の発光体１０は、広く運用されている従来技術であるため、ここでは説明を省略する。
【００１６】
本考案の実施例において、本考案の口金部２０は駆動回路板２１と座体２２を含む。発光体１０は発光ダイオード（Ｌｉｇｈｔ  Ｅｍｉｔｔｉｎｇ  Ｄｉｏｄｅ、ＬＥＤ）灯を例とし、本考案の駆動回路板２１は、整流器、電圧調整器、変圧器を含む。整流器は、交流電流を直流電流に変換し、電力を発光体１０に伝送するために用いられる。電圧調整器は、電圧を安定した状態に保持するために用いられる。変圧器は、電圧と抵抗を変化させるために用いられる。但し、駆動回路板２１の種類と機能は上述に限定されない。駆動回路板２１は、２つの導電突起柱２１１、導電部材２１２、導電固定部材２１３を含む。ただし、導電突起柱２１１、導電部材２１２、及び導電固定部材２１３の数量は上述に限定されず、設計のニーズに応じて変えることができる。本実施例において、導電突起柱２１１は、発光素子１１の接続構造部１１ｃの挿入孔との接続に用いられ、電力を発光素子１１に伝送し、発光ダイオード１１ａに光線を発生させる。導電部材２１２は、回路の導通に用いられ、導電弾性片２１２ａを含む。本考案の実施例において、導電固定部材２１３は、溝部を備えた突出部（溝部を具えたメスコネクタ）である。
【００１７】
本考案の座体２２は、導電ケース２２１と導電接合部２２２を含む。本考案の実施例において、導電部材２１２の導電弾性片２１２ａは、導電ケース２２１との接続に用いられ（本実施例は接触を通して接続が形成される）、回路を導通させる。本考案の導電接合部２２２は、突起柱（オスコネクタ）であり、導電固定部材２１３の突出部との結合に用いられる。導電接合部２２２の突起柱は、導電固定部材２１３の突出部に接触した状態で係着され、回路を導通させる。導電弾性片２１２ａと導電ケース２２１間の接続、及び導電接合部２２２と導電固定部材２１３間の接続（本実施例は係着を通して接続が形成される）を通して、完全な導電回路が形成される。ただし、本考案の導電接合部２２２と導電固定部材２１３の構造は上述に限定されず、例えば、導電接合部２２２を突出部とし、導電固定部材２１３を対応する突起柱としてもよく、或いは導電接合部２２２と導電固定部材２１３をその他相互に係着できる構造とすることもできる。
【００１８】
本考案の電球１の組み立てを行うときは、駆動回路板２１の導電固定部材２１３と座体２２の導電接合部２２２を接触させた状態で係着するだけで、駆動回路板２１の導電弾性片２１２ａが導電ケース２２１と接触する。続いて、発光体１０の発光素子１１を駆動回路板２１の導電突起柱２１１に接続すると本考案の電球１の組み立てが完了する。このため、本考案の電球１の構造によれば、迅速に手動または自動化した方式で電球１を組み立てることができ、組み立てにかかる時間とコストを大幅に節約できる。
【００１９】
上述をまとめると、本考案はその目的、手段、効果のいずれにおいても従来技術とは異なる特徴を備え、大きな進歩であり、明察の上、早期に社会にその恩恵を与えることができるように特許の批准を願うものである。上述の実施例は単に例示的に本考案の原理及びその効果を説明したまでであり、本考案の範囲を制限するものではないことに注意が必要である。当業者であれば本考案の技術原理及び要旨を逸脱することなく、実施例に対する修正や変化が可能であろう。本考案の権利保護範囲は後付の実用新案登録請求の範囲に準じる。
【符号の説明】
【００２０】
１  電球
１０  発光体 
１１  発光素子
１１ａ  発光ダイオード
１１ｂ  基板
１１ｃ  接続構造部
２０  口金部 
２１  駆動回路板
２１１  導電突起柱
２１２  導電部材
２１２ａ  導電弾性片
２１３  導電固定部材
２２  座体
２２１  導電ケース
２２２  導電接合部
【図１】
0003188655.tif 000003
【図２】
0003188655.tif 000004
【図３】
0003188655.tif 000005
【図４】
0003188655.tif 000006